(57)【要約】【課題】クルーズコントロール中に不必要なアップシフト指示を表示させない変速指示装置を提供すること。【解決手段】定速走行制御部４１が車両１の定速走行を制御しているとき、定速走行制御部４１が求めた要求トルクに基づいて、対応するアクセル開度を推定するアクセル開度推定部４２と、定速走行制御部４１が定速走行の制御を行なっている場合には、アクセル開度推定部４２が推定したアクセル開度に、通常のなまし量より大きいなまし量でなまし処理を行なうなまし処理部４３と、なまし処理部４３がなまし処理したアクセル開度と車速に基づいて自動変速機３の変速段の変更タイミングを報知装置２０により報知させる変速指示部４０と、を備える。【選択図】図１
2016223547.tif 000002
【特許請求の範囲】
【請求項１】
任意で変速段の選択が可能な変速機が搭載され、運転者が設定した車速を維持し定速走行を制御する定速走行制御部を備える車両の変速指示装置であって、
前記変速機に形成させる変速段の変更タイミングを報知する報知装置と、
エンジンの負荷を表す値に所定のなまし量でなまし処理を行なってなまし負荷値を算出するなまし処理部と、
車速と前記なまし負荷値に基づいて前記報知装置により変更タイミングを報知させる変速指示部と、を備え、
前記なまし処理部は、前記定速走行制御部が定速走行の制御を行なっている場合には、前記なまし量を通常のなまし量より大きくして前記なまし負荷値を算出する車両の変速指示装置。
【発明の詳細な説明】
【技術分野】
【０００１】
本発明は、車両の変速指示装置に関し、特に、クルーズコントロールを搭載した車両の変速指示装置に関する。
【背景技術】
【０００２】
従来、アクセル開度と車速などに応じたギア段を運転者に指示するギアシフトインジケータと、長距離走行における運転者への負担軽減のため定速走行を可能とするクルーズコントロールと、が搭載された車両がある。
【０００３】
例えば、特許文献１には、クルーズコントロール作動時と非作動時とでアクセル開度の算出方法を切り換え、そのアクセル開度と車速またはエンジン回転数とに基づいて自動変速機のシフトチェンジポジションを設定する制御装置が記載されている。
【先行技術文献】
【特許文献】
【０００４】
【特許文献１】特開２００５−２４０４８号公報
【発明の概要】
【発明が解決しようとする課題】
【０００５】
ところで、自動変速機を搭載した車両において、クルーズコントロール中に、登坂路走行時にキックダウンが発生する場合がある。キックダウンが発生した場合、低速のギアに自動的に切り替わるため、車速を一定に保つためにギアシフトインジケータによりアップシフトが指示される。
【０００６】
このとき、運転者がシフトアップ操作を行なうと、ギア比が低下してクルーズコントロール制御部からの要求アクセル開度が上がり、再度キックダウンが発生してしまう。また、再度キックダウンが発生しなくても、駆動力不足により運転者に違和感を生じさせる場合があった。
【０００７】
そこで、本発明は、クルーズコントロール中に不必要なアップシフト指示を表示させない変速指示装置を提供することを目的としている。
【課題を解決するための手段】
【０００８】
上記課題を解決する車両の変速指示装置の発明の一態様は、任意で変速段の選択が可能な変速機が搭載され、運転者が設定した車速を維持し定速走行を制御する定速走行制御部を備える車両の変速指示装置であって、変速機に形成させる変速段の変更タイミングを報知する報知装置と、エンジンの負荷を表す値に所定のなまし量でなまし処理を行なってなまし負荷値を算出するなまし処理部と、車速となまし負荷値に基づいて報知装置により変更タイミングを報知させる変速指示部と、を備え、なまし処理部は、定速走行制御部が定速走行の制御を行なっている場合には、なまし量を通常のなまし量より大きくしてなまし負荷値を算出するものである。
【発明の効果】
【０００９】
このように本発明の一態様によれば、クルーズコントロール中に不必要なアップシフト指示を表示させない変速指示装置を提供することができる。
【図面の簡単な説明】
【００１０】
【図１】図１は、本発明の一実施形態に係る車両の変速指示装置を示す図であり、その概念ブロック図である。
【図２】図２は、本発明の一実施形態に係る車両の変速指示装置を示す図であり、その変速マップを示す図である。
【図３】図３は、本発明の一実施形態に係る車両の変速指示装置を示す図であり、そのアクセル開度算出処理を説明するフローチャートである。
【図４】図４は、本発明の一実施形態に係る車両の変速指示装置を示す図であり、そのアクセル開度算出処理によるアクセル開度の変化とアップシフト指示表示の変化を示す図である。
【図５】図５は、本発明の一実施形態の他の態様に係る車両の変速指示装置を示す図であり、そのアクセル開度算出処理を説明するフローチャートである。
【発明を実施するための形態】
【００１１】
以下、図面を参照して、本発明の実施形態について詳細に説明する。
図１において、本発明の一実施形態に係る変速指示装置を搭載した車両１は、内燃機関型のエンジン２と、自動変速機３と、ギア機構４と、駆動輪５と、ＥＣＵ（Electronic Control Unit）６とを含んで構成されている。
【００１２】
エンジン２は、吸気行程、圧縮行程、膨張行程及び排気行程からなる一連の４行程を行なうとともに、圧縮行程及び膨張行程の間に燃焼室で点火を行なう４サイクルのエンジンによって構成されている。
【００１３】
自動変速機３は、エンジン２から駆動輪５までの動力伝達経路に設けられている。自動変速機３は、複数の変速段のなかで任意の１つの変速段を形成することができるようになっている。詳細には、自動変速機３は、ＥＣＵ６によって制御された図示しない油圧回路によって、変速段が変更されるようになっている。
【００１４】
ギア機構４は、図示しないディファレンシャルギア及びドライブシャフトなどによって構成され、駆動輪５に動力を伝達するようになっている。
【００１５】
ＥＣＵ６は、ＣＰＵ（Central Processing Unit）と、ＲＡＭ（Random Access Memory）と、ＲＯＭ（Read Only Memory）と、フラッシュメモリと、入力ポートと、出力ポートとを備えたコンピュータユニットによって構成されている。
【００１６】
ＥＣＵ６のＲＯＭには、各種定数や各種マップ等とともに、当該コンピュータユニットをＥＣＵ６として機能させるためのプログラムが記憶されている。すなわち、ＣＰＵがＲＯＭに記憶されたプログラムを実行することにより、当該コンピュータユニットは、本実施形態におけるＥＣＵ６として機能する。
【００１７】
ＥＣＵ６の入力ポートには、エンジン２の機関回転速度（以下、「エンジン回転速度」ともいう）を検出するエンジン回転速度センサ１０と、車速を検出する車速センサ１１と、アクセルペダル１４の操作量（以下、「アクセル開度」ともいう）を検出するアクセル開度センサ１５と、シフトレバー１６のシフト位置がＰ（パーキング）レンジ、Ｒ（リバース）レンジ、Ｄ（ドライブ）レンジあるいは、Ｍ（マニュアル）レンジなどのいずれに位置するかを検出するシフトポジションセンサ１７とを含む各種センサ類が接続されている。
【００１８】
また、ＥＣＵ６の出力ポートには、自動変速機３を制御するための油圧回路に加えて、インストルメントパネル等に設けられた報知装置２０と、エンジン２の吸入空気量を調節するスロットルバルブ３０と、エンジン２の燃焼室内に燃料を噴射するインジェクタ３１とを含む各種制御対象類が接続されている。
【００１９】
ＥＣＵ６は、各種センサ類から得られる情報に基づいて、各種制御対象類を制御するようになっている。例えば、ＥＣＵ６は、シフトポジションセンサ１７によって検出されたシフトレバー１６の位置に応じて、自動変速機３に形成させる変速段を変更するように油圧回路を制御するようになっている。
【００２０】
ＥＣＵ６は、シフトレバー１６のシフト位置がＤレンジである場合、車速やアクセル開度などに基づいて変速段を決定し、その変速段を自動変速機３に形成させるように油圧回路を制御する。
【００２１】
また、ＥＣＵ６は、シフトレバー１６のシフト位置がＭレンジである場合、シフトポジションセンサ１７からの手動アップシフト指令、手動ダウンシフト指令を受信したとき、現在の変速段から１段ハイ側またはロー側へ変速段を変更するように油圧回路を制御する。
【００２２】
また、ＥＣＵ６は、例えば、アクセルペダル１４が大きくまたは急激に踏み込まれたことを検知すると、自動変速機３の変速段を現在の変速段より低い変速段に変更するキックダウンを行なうようになっている。
【００２３】
また、ＥＣＵ６は、アクセル開度センサ１５の検出するアクセル開度に基づきエンジン２に要求される出力トルクである要求トルクを求め、エンジン２がその要求トルクを出力するようにスロットルバルブ３０の開度（以下、「スロットル開度」ともいう）やインジェクタ３１による燃料噴射量を制御するようになっている。
【００２４】
また、ＥＣＵ６は、例えば、インストルメントパネルに設けられたクルーズコントロールスイッチがオン状態にされると、予め設定された所定車速を維持して走行する定速走行を車両１に行なわせるようにスロットル開度や燃料噴射量などを制御する定速走行制御部４１を構成する。定速走行制御部４１は、例えば、所定車速と現在の車両１の車速との差から、車両１の車速を所定車速にするためにエンジン２に要求される要求トルクを求め、要求トルクからスロットル開度や燃料噴射量などを求めて、スロットルバルブ３０やインジェクタ３１を制御して、車両１を所定車速で定速走行させるクルーズコントロールを制御する。
【００２５】
また、ＥＣＵ６は、シフトレバー１６のシフト位置がＭレンジであるとき、車速とエンジン２の負荷に基づいて、自動変速機３の変速タイミングを報知装置２０に変速指示として報知させる変速指示部４０を構成する。報知装置２０は、例えば、インストルメントパネルに設けられたＬＥＤ（Light Emitting Diode）及びＬＥＤの駆動回路によって構成される。変速指示部４０は、報知装置２０に、例えば、運転者にシフトアップを指示する「アップシフト指示表示」、運転者に変速段の維持を指示する「ステイ指示表示」、運転者にシフトダウンを指示する「ダウンシフト指示表示」、運転者に現在の変速段を通知する「ギアポジション表示」などを表示させるようになっている。
【００２６】
ＥＣＵ６のＲＯＭには、図２に示すような変速マップが記憶されている。変速マップは、車速とエンジン２の負荷を表すアクセル開度とに対応する変速段を表している。なお、図２において、「１⇒２」で示す実線は１速から２速に、「２⇒３」で示す実線は２速から３速に、「３⇒４」で示す実線は３速から４速に、「４⇒５」で示す実線は４速から５速に、「５⇒６」で示す実線は５速から６速にシフトアップするタイミングを示す指示線（以下、「シフトアップ指示線」ともいう）である。
【００２７】
また、図２では、シフトアップ指示線を示したが、各変速段から１つ下の変速段に変速するシフトダウンのタイミングを示すシフトダウン指示線も各変速段について変速マップに設定されている。
【００２８】
変速指示部４０は、シフトレバー１６のシフト位置がＭレンジであるとき、図２に示した変速マップを参照し、車速とアクセル開度とに対応する交点が、前回参照時の交点から指示線を跨いだときに、自動変速機３に形成させる変速段の変更タイミングを報知装置２０に変速指示として報知させる。
【００２９】
変速指示部４０は、車速とアクセル開度とに対応する交点がシフトアップ指示線を境界としてシフトアップ指示線の左側の領域から右側の領域に跨いだとき、自動変速機３の変速段がシフトアップ指示線のシフトアップ元の変速段である場合、報知装置２０にアップシフト指示表示を表示させる。また、変速指示部４０は、車速とアクセル開度とに対応する交点がシフトアップ指示線を境界としてシフトアップ指示線の右側の領域から左側の領域に跨いだとき、報知装置２０に表示させているアップシフト指示表示を停止させる。
【００３０】
ＥＣＵ６は、定速走行制御部４１が車両１の定速走行を制御しているとき、定速走行制御部４１が求めた要求トルクに基づいて、対応するアクセル開度を推定するアクセル開度推定部４２を構成する。
【００３１】
また、ＥＣＵ６は、車両１の通常走行時はアクセル開度センサ１５の検出したアクセル開度をなまし処理し、車両１の定速走行時はアクセル開度推定部４２が推定したアクセル開度をなまし処理するなまし処理部４３を構成する。変速指示部４０は、なまし処理部４３がなまし処理したアクセル開度に基づいて変速タイミングを判定する。なお、なまし処理とは、測定値や制御値の急激な変化を抑え、値の変化量を少なくすることである。
【００３２】
なまし処理部４３は、以下の式（１）によりなまし処理後のアクセル開度を算出する。
A(n)=A(n-1)×K+Arare×(1-K)...（１）
ここで、A(n)は、なまし処理したアクセル開度値であるなましアクセル開度値である。A(n-1)は、前回求めたなましアクセル開度値である。Arareは、アクセル開度の生値、すなわち、通常走行時にはアクセル開度センサ１５の検出したアクセル開度値であり、定速走行時にはアクセル開度推定部４２が推定したアクセル開度値である。Kは、なまし量であり、０〜１の値を取る。
【００３３】
本実施形態において、なまし処理部４３は、定速走行時には、通常走行時のなまし量Kよりも大きいなまし量K1を用いてアクセル開度のなまし処理を行なう。すなわち、K1＞KであるK1をなまし量としてアクセル開度のなまし処理を行なう。このようにすることでアクセル開度の急激な変化が抑えられ、定速走行時に不必要なアップシフト指示を表示させなくすることができる。
【００３４】
以上のように構成された本実施形態に係る車両の変速指示装置によるアクセル開度算出処理について、図３を参照して説明する。なお、以下に説明するアクセル開度算出処理は、ＥＣＵ６が動作を開始すると開始され、予め設定された時間間隔で実行される。
【００３５】
まず、なまし処理部４３は、定速走行制御部４１による定速走行中か否かを判定する（ステップＳ１１）。定速走行中でないと判定した場合、なまし処理部４３は、通常走行時のなまし量Kで式（１）によりアクセル開度を算出して（ステップＳ１２）、処理を終了する。
【００３６】
一方、定速走行中であると判定した場合、なまし処理部４３は、定速走行時のなまし量K1で式（１）によりアクセル開度を算出して（ステップＳ１３）、処理を終了する。
【００３７】
このようにして算出したアクセル開度と車速に基づいて、変速指示部４０は、図２に示すような変速マップから変速タイミングを検出して、報知装置２０にアップシフト指示表示を表示させる。
【００３８】
このようなアクセル開度算出処理による動作について図４を参照して説明する。
図４の上側のグラフは、図２の３速から４速へのシフトアップ指示線の一部を拡大したものに、車速Ｖ１で発生したキックダウン後の車速とアクセル開度との変化を、通常走行時のなまし量の場合と、定速走行時のなまし量の場合とで比較したものである。また、図４の下側のグラフは、定速走行時のなまし量の場合と、通常走行時のなまし量の場合とのアップシフト指示表示の点灯状態を示したものである。
【００３９】
図４に示すように、通常走行時のなまし量Kでは、Ｖ１で発生したキックダウン後にアクセル開度が低下し、シフトアップ指示線を超えてアップシフト指示表示が表示される。また、その後の速度上昇時にシフトアップ指示線に近づくと、定速走行制御部４１の制御量が激しく変化するため、シフトアップ指示線を超えたり戻ったりを繰り返し、アップシフト指示表示が変化を繰り返す。
【００４０】
一方、定速走行時のなまし量K1では、Ｖ１で発生したキックダウン後のアクセル開度の低下が抑えられ、シフトアップ指示線を超えず、アップシフト指示表示は表示されない。また、その後の速度上昇時にシフトアップ指示線に近づいても、アクセル開度の変化が抑えられ、一度アップシフト指示表示が表示され、そのままアップシフト指示表示が継続して表示される。
【００４１】
なお、本実施形態においては、アクセル開度と車速に基づいて変速タイミングを判定したが、要求トルクと車速に基づいて変速タイミングを判定するようにしてもよい。この場合、要求トルクと車速による変速マップを備え、なまし処理部４３は、アクセル開度ではなく要求トルクに対してなまし処理を行ない、定速走行時は通常走行時より大きいなまし量を使うようにする。
【００４２】
また、なまし量は、アクセル開度または要求トルクの上昇時と下降時で別々の値を用いてもよい。
【００４３】
また、なまし量は、アクセル開度または要求トルクが所定値以上になった場合に、さらに切り替えるようにしてもよいし、通常走行時のなまし量に戻すようにしてもよい。
【００４４】
また、なまし量は、車速が所定値以上になった場合に、さらに切り替えるようにしてもよいし、通常走行時のなまし量に戻すようにしてもよい。
【００４５】
また、なまし量は、エンジン回転速度が所定値以上になった場合に、さらに切り替えるようにしてもよいし、通常走行時のなまし量に戻すようにしてもよい。
【００４６】
この場合、図５のフローチャートに示すように、なまし処理部４３は、定速走行制御部４１による定速走行中か否かを判定する（ステップＳ２１）。定速走行中でないと判定した場合、なまし処理部４３は、通常走行時のなまし量Kで式（１）によりアクセル開度を算出して（ステップＳ２２）、処理を終了する。
【００４７】
一方、定速走行中であると判定した場合、なまし処理部４３は、エンジン回転速度センサ１０の検出したエンジン回転速度が所定値以上であるか否かを判定する（ステップＳ２３）。エンジン回転速度が所定値以上ではないと判定した場合、なまし処理部４３は、定速走行時のなまし量K1で式（１）によりアクセル開度を算出して（ステップＳ２４）、処理を終了する。
【００４８】
一方、エンジン回転速度が所定値以上であると判定した場合、なまし処理部４３は、定速走行時高回転用のなまし量K2で式（１）によりアクセル開度を算出して（ステップＳ２５）、処理を終了する。
【００４９】
このように、上述の実施形態では、エンジン２の負荷を表すアクセル開度を所定のなまし量でなまし処理するなまし処理部４３を備え、なまし処理部４３は、定速走行制御部４１が定速走行の制御を行なっている場合には、なまし量を通常のなまし量より大きくしてなまし処理を行ない、変速指示部４０は、なまし処理部４３がなまし処理したアクセル開度と車速に基づいて自動変速機３の変速段の変更タイミングを報知装置２０により報知させる。
【００５０】
これにより、定速走行時には、通常走行時よりも大きいなまし量でアクセル開度がなまし処理される。このため、定速走行時に不必要なアップシフト指示表示を表示させなくすることができる。
【００５１】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５２】
１  車両
２  エンジン
３  自動変速機
６  ＥＣＵ
１１  車速センサ
１５  アクセル開度センサ
２０  報知装置
４０  変速指示部
４１  定速走行制御部
４２  アクセル開度推定部
４３  なまし処理部
【図１】
2016223547.tif 000003
【図２】
2016223547.tif 000004
【図３】
2016223547.tif 000005
【図４】
2016223547.tif 000006
【図５】
2016223547.tif 000007